(57)【特許請求の範囲】
【請求項１】
複数の測定チャネルの測定データを共通の表示画面に表示する多点測定データ表示装置であって、
前記表示画面には、計器パターンを編集するために各種データを選択指定する編集領域と、編集された計器パターンを表示する表示領域が設けられ、
前記編集領域には選択可能な編集画面とチャネル画面が設けられて、編集画面には前記計器パターンを編集するための部品と色を選択指定する複数のアイコンが設けられるとともに前記表示画面に任意に貼り付けるための画像がサムネール表示され、チャネル画面には複数のチャネル番号と各チャネル番号に設定されリンクされているアラームレベルが表示される設定プレートが設けられるとともに消去ボタンを有する消去プレート領域が設けられ、
前記編集画面から所望の計器パターンが選択されて前記表示領域でドラッグされることによりこの選択された計器パターンが前記表示領域に所望の大きさで表示され、
前記チャネル画面から所望の測定チャネル番号がドラッグされて前記表示領域に表示されている所望の計器パターンにドロップされることによりその計器パターンに選択された測定チャネル番号とその測定チャネル番号にリンクされているアラームレベルおよび測定データが割り当てられ、
前記消去プレート領域に設けられている消去ボタンがドラッグされて前記表示領域に表示されている計器パターンにドロップされることによりその計器パターンに対する測定チャネルの割り当てが解除されることを特徴とする多点測定データ表示装置。
【請求項２】
前記計器パターンは、デジタルメータ、バーメータ、アナログメータ、トレンドグラフメータの少なくともいずれかであることを特徴とする請求項１記載の多点測定データ表示装置。
【請求項３】
複数の測定チャネルの測定データを共通の表示画面に表示するのにあたり、前記表示画面に設けられている編集領域の編集画面にサムネール表示される計器パターンの画像から所望の計器パターンを選択し前記表示画面に設けられている表示領域に所望の大きさで表示させるステップと、前記表示領域に表示される各計器パターンに前記編集領域のチャネル画面に表示される測定チャネルリストから所望の測定チャネル番号をドラッグして所望の計器パターンにドロップすることにより測定チャネル番号を割り付けるステップと、指定された計器パターンに選択された測定チャネル番号と各測定チャネルのアラームレベルおよび測定データとをリンクさせるステップとを含む、多点測定データ表示方法。
【請求項４】
複数の測定チャネルの測定データを共通の表示画面に表示するのにあたり、コンピュータに、複数の測定チャネルの測定データを共通の表示画面に表示するのにあたり、前記表示画面に設けられている編集領域の編集画面にサムネール表示される計器パターンの画像から所望の計器パターンを選択し前記表示画面に設けられている表示領域に所望の大きさで表示させるステップと、前記表示領域に表示される各計器パターンに前記編集領域のチャネル画面に表示される測定チャネルリストから所望の測定チャネル番号をドラッグして所望の計器パターンにドロップすることにより測定チャネル番号を割り付けるステップと、指定された計器パターンに選択された測定チャネル番号と各測定チャネルのアラームレベルおよび測定データとをリンクさせるステップを実行させるための多点測定データ表示プログラム。
【発明の詳細な説明】
【０００１】
【発明の属する技術分野】
本発明は、複数の測定チャネルの測定データを表示する多点測定データ表示技術に関するものであり、詳しくは、複数の測定チャネルの測定データを所望の計器パターンで表示する多点測定データ表示装置と多点測定データ表示方法および多点測定データ表示プログラムに関するものである。
【０００２】
【従来の技術】
パソコンの普及に伴ない、従来から温度や圧力や流量や電圧や電流などの各種物理量の測定記録手段として用いられてきた計測レコーダの分野においても、複数の測定チャネルの測定データをパソコンに取り込み、パソコンのグラフィック処理機能を活用して計測レコーダでは実現しきれない種々のデータ処理を補完することが行われつつある。
【０００３】
【発明が解決しようとする課題】
しかし、現在商品化され販売されている多点測定データ表示プログラムは、メーカーの設計仕様によって制限される事項が多く、ユーザーにとって必ずしも画面設計の自由度が高いものとはいえない。また、操作面からも、多少はソフトウェアのプログラムについての知識がないと、使えないものが多い。
【０００４】
本発明は、このような問題を解決するものであり、その目的は、ソフトウェアのプログラムについての知識のないユーザーであっても任意に表示画面を設計できる自由度の高い多点測定データ表示装置と多点測定データ表示方法および多点測定データ表示プログラムを提供することにある。
【０００５】
【課題を解決するための手段】
このような目的を達成する請求項１の発明は、
複数の測定チャネルの測定データを共通の表示画面に表示する多点測定データ表示装置であって、
前記表示画面には、計器パターンを編集するために各種データを選択指定する編集領域と、編集された計器パターンを表示する表示領域が設けられ、
前記編集領域には選択可能な編集画面とチャネル画面が設けられて、編集画面には前記計器パターンを編集するための部品と色を選択指定する複数のアイコンが設けられるとともに前記表示画面に任意に貼り付けるための画像がサムネール表示され、チャネル画面には複数のチャネル番号と各チャネル番号に設定されリンクされているアラームレベルが表示される設定プレートが設けられるとともに消去ボタンを有する消去プレート領域が設けられ、
前記編集画面から所望の計器パターンが選択されて前記表示領域でドラッグされることによりこの選択された計器パターンが前記表示領域に所望の大きさで表示され、
前記チャネル画面から所望の測定チャネル番号がドラッグされて前記表示領域に表示されている所望の計器パターンにドロップされることによりその計器パターンに選択された測定チャネル番号とその測定チャネル番号にリンクされているアラームレベルおよび測定データが割り当てられ、
前記消去プレート領域に設けられている消去ボタンがドラッグされて前記表示領域に表示されている計器パターンにドロップされることによりその計器パターンに対する測定チャネルの割り当てが解除されることを特徴とする。
【０００６】
請求項２の発明は、請求項１記載の多点測定データ表示装置において、前記計器パターンは、デジタルメータ、バーメータ、アナログメータ、トレンドグラフメータの少なくともいずれかであることを特徴とする。
【０００９】
請求項３の発明は、
複数の測定チャネルの測定データを共通の表示画面に表示するのにあたり、前記表示画面に設けられている編集領域の編集画面にサムネール表示される計器パターンの画像から所望の計器パターンを選択し前記表示画面に設けられている表示領域に所望の大きさで表示させるステップと、前記表示領域に表示される各計器パターンに前記編集領域のチャネル画面に表示される測定チャネルリストから所望の測定チャネル番号をドラッグして所望の計器パターンにドロップすることにより測定チャネル番号を割り付けるステップと、指定された計器パターンに選択された測定チャネル番号と各測定チャネルのアラームレベルおよび測定データとをリンクさせるステップとを含む、多点測定データ表示方法である。
【００１０】
そして、請求項４の発明は、
複数の測定チャネルの測定データを共通の表示画面に表示するのにあたり、コンピュータに、複数の測定チャネルの測定データを共通の表示画面に表示するのにあたり、前記表示画面に設けられている編集領域の編集画面にサムネール表示される計器パターンの画像から所望の計器パターンを選択し前記表示画面に設けられている表示領域に所望の大きさで表示させるステップと、前記表示領域に表示される各計器パターンに前記編集領域のチャネル画面に表示される測定チャネルリストから所望の測定チャネル番号をドラッグして所望の計器パターンにドロップすることにより測定チャネル番号を割り付けるステップと、指定された計器パターンに選択された測定チャネル番号と各測定チャネルのアラームレベルおよび測定データとをリンクさせるステップを実行させるための多点測定データ表示プログラムである。
【００１１】
これらにより、複数の測定チャネルの測定データを、ソフトウェアのプログラムについての知識を持たないユーザーであっても所望する任意の計器パターンで表示させることができ、設計自由度の高い表示画面を実現できる。
【００１２】
【発明の実施の形態】
以下、図面を用いて本発明の実施の形態を説明する。
図１は、本発明に基づく表示画面の具体例図である。表示画面１０は、分割バー１１により左右に分割されていて、左側には計器パターンを編集するための各種データを選択指定するための編集領域１２が設けられ、右側には編集された計器パターンを表示する表示領域１３が設けられている。
【００１３】
図１の状態で分割バー１１にマウスカーソルを重ねることにより分割バー１１の表示色が変わり、色が変わった状態でマウスを左クリックすると編集領域１２が左側に押し縮められてその分表示領域１３が拡大される。また、表示領域１３が拡大された状態で分割バー１１にマウスカーソルを重ねることにより分割バー１１の表示色が変わり、色が変わった状態でマウスを左クリックすると編集領域１２が右側に押し広げられて元の図１の状態に戻る。
【００１４】
編集領域１２には、それぞれタブで選択できる編集画面１２１とチャネル画面１２２の２つが設けられるとともに、それらの下部領域には表示領域１３におけるマウスカーソルの位置をＸ，Ｙ座標で表示する座標表示部１２３が設けられている。なお、本実施例では、Ｘ，Ｙ座標の原点を表示領域１３の左上角に設定している。
【００１５】
図２は編集画面１２１の説明図である。編集画面１２１は、縦方向に「部品」領域１２１ａと「色」領域１２１ｂと「ピクチャ」領域１２１ｃの３つに分割されている。
【００１６】
「部品」領域１２１ａには、表示領域１３に複数測定チャネルの各測定チャネル毎にユーザーが所望の計器パターンを選択指定するためのデジタルメータ、バーメータ、アナログメータ、トレンドグラフメータ、これら複数種類のメータの組み合わせなどに対応した複数のアイコンをはじめ、編集作業用の矢印アイコン、線引き用のアイコン、図形描画用のアイコンなどが設けられている。
【００１７】
「色」領域１２１ｂには、表示領域１３に描画されるテキストや線分や図形などの表示色を選択指定するための各種のツールアイコンが設けられている。
【００１８】
「ピクチャ」領域１２１ｃには、表示領域１３にユーザーが任意に貼り付けるための画像がサムネール表示されている。これらの画像はこのプログラムが格納されるフォルダの一部に格納することで、画面に反映させることができる。
【００１９】
図３はチャネル画面１２２の説明図である。チャネル画面１２２は、縦方向に「設定プレート」領域１２２ａと「消去プレート」領域１２１ｂの２つに分割されている。
【００２０】
「設定プレート」領域１２２ａには、複数のチャネル番号と各チャネル番号毎に設定されている４つのアラームレベルＬ１〜Ｌ４がリンクされている。この設定プレート領域１２２ａから所望のチャネル番号をドラッグして編集画面１２１に表示されている所望の計器パターンにドロップすることにより、その計器パターンはドロップした測定チャネルに割り当てられることになる。なお、「設定プレート」領域１２２ａのチャネル番号欄の表示は、メニューバー７０の表示メニューを開くことによりプルダウン表示されるメニューにより、チャネル番号とタグ番号とタグコメントのいずれかが選択指定できる。
【００２１】
「消去プレート」領域１２１ｂには、消去ボタンが設けられている。この消去ボタンをドラッグして編集画面１２１に表示されている任意の測定チャネルが割り当てられている計器パターンにドロップすることにより、その計器パターンに対する測定チャネルの割り当てが解除される。
【００２２】
再び図１において、表示画面１０下部には表示領域１３における各部品類の配列関係を調整するためのアイコンが配列されたアレンジメントバー２０と作業の現況を表示するステータスバー３０が表示され、表示画面１０上部には表示領域１３における各部品類の属性を調整するためのアイコンが配列されたアトリビュートバー４０と各部品類に対応したアイコンが配列されたオブジェクトバー５０と各種作業のためのアイコンが配列されたツールバー６０とメニューバー７０が表示されている。なお、アレンジメントバー２０とステータスバー３０とアトリビュートバー４０とオブジェクトバー５０とツールバー６０は、メニューバー７０の表示メニューを開くことによりプルダウン表示されるメニューにより個別にオンオフできる。これらのバーをすべて表示させるとその分表示画面１０の上下が狭くなり、すべてのバー表示をオフにすると表示画面１０の上下方向は最大になる。
【００２３】
次に、表示画面１０の表示領域１３における計器パターンの編集とチャネルの割り当ておよび割り当ての解除について説明する。
図４は、編集領域１２の編集画面１２１における「部品」領域１２１ａから、計器パターンとしてデジタル表示部とバーグラフ表示部とを組み合わせたデジタルメーターセットを選択し、所望の大きさで2個表示させた例を示している。
【００２４】
操作手順としては、まずマウスカーソルを「部品」領域１２１ａに移動させ、デジタルメーターセットのアイコンをマウスの左クリックで選択する。これにより、デジタルメーターセットのアイコンの外周が反転して選択状態になり、この状態は他のアイコンを左クリックで選択するまで保持される。
【００２５】
マウスカーソルを編集領域１２から表示領域１３に戻すと、マウスカーソルは矢印パターンからクロスパターンに変化する。このクロスパターンの表示領域１３における現在位置は、座標表示部１２３にＸ，Ｙ座標で表示される。所望の位置で左クリックしながら対角線方向にドラッグしてクリックを解除することにより、対角線の長さに対応した大きさの計器パターンが外周にハンドルを付けた状態で表示される。なお、このクリック解除と同時に、デジタルメーターセットのアイコン選択状態も解除される。計器パターンの大きさは、外周にハンドルをドラッグして所望の大きさに調整する。このような計器パターンは通常のコピー機能で必要数コピーペーストできるものであり、図４は1個コピーした例を示している。
【００２６】
図４の段階では、表示領域１３にデジタルメーターセットの計器パターンが２個表示されているだけであり、測定チャネルの割り当ては行われていない。各デジタルメーターセットの「ＯＦＦ」表示は、測定チャネルが未割り当て状態であることを示している。
【００２７】
図５および図６は、上部のデジタルメーターセットに測定チャネル「ＣＨ０００３」を割り当てる過程例を示している。
【００２８】
編集領域１２をチャネル画面１２２に切り換え、マウスカーソルを「設定プレート」領域１２２ａに移動させる。マウスカーソルは「設定プレート」領域１２２ａに入ると、矢印パターンから手のひらパターンに変化する。そして、所望の測定チャネル番号「ＣＨ０００３」の上で左クリックする。左クリックにより、マウスカーソルは「ＣＨ０００３」をつかんだパターンに変化する。図５は、そのままの状態で表示領域１３の所望のデジタルメーターセット領域までドラッグした状態を示している。
【００２９】
図６は、左クリックを解除してドロップした状態を示している。これにより、測定チャネル番号「ＣＨ０００３」と「ＣＨ０００３」にリンクされている４つのアラームレベルＬ１〜Ｌ４および測定データが割り当てられる。
【００３０】
測定チャネルの割り当てが行われると、デジタルメーターセットのタグ表示領域にはチャネル番号「ＣＨ０００３」が表示され、アラーム表示ボタンおよびバーグラフも所定の色で点灯表示されるようになる。なお、このようにチャネル番号が表示されている状態でメニューバー７０の表示メニューを開いてチャネル番号からタグ番号またはタグコメントのいずれかを選択指定すると、「設定プレート」領域１２２ａのチャネル番号欄の表示切換に連動してデジタルメーターセットのタグ表示領域の表示も切り換わる。
【００３１】
チャネル割り当ての解除にあたっては、前述のように、「消去プレート」領域１２１ｂに設けられている消去ボタンをドラッグして表示領域１３に表示されている計器パターンにドロップするだけでよい。
【００３２】
図７は、本発明の機能ブロック図である。編集領域１２の編集画面１２１における「部品」領域１２１ａを中心とする計器パターン選択部Ａと、編集領域１２のチャネル画面１２２に基づく測定チャネル割り当て部Ｂと、図示しないスキャナなどを介して取り込まれて作成される測定データファイルCは、リンク処理部Dに接続されている。
【００３３】
リンク処理部Dは、計器パターン選択部Ａで選択された計器パターンに測定チャネル割り当て部Ｂで割り当てられた所定の測定チャネル番号をリンクさせるとともに、測定データファイルCの中から割り当てられた測定チャネル番号の測定データをリンクさせることにより、計器パターンと測定チャネル番号と測定データとを一体化する。そして、これらを表示処理部Ｅに出力して、表示部Ｆに表示させる。
【００３４】
このように、本発明のチャネル割り当ておよび解除は、共通の表示画面１０の編集領域１２から所望のチャネル番号や消去ボタンをドラッグして表示領域１３の計器パターンにドロップするだけでよく、ソフトウェアのプログラムについての知識を必要とすることなく簡単な操作で直感的に行える。
【００３５】
なお、計器パターンの選択指定は、オブジェクトバー５０の所望の計器パターンのアイコンをクリックすることによっても、編集領域１２の編集画面１２１における「部品」領域１２１ａから所望の計器パターンのアイコンをドラッグしてドロップするのと同様に行うことができる。
【００３６】
また、表示領域１３における計器パターンの大きさや配置位置の変更、測定チャネルの割り当てなどは、メニューバー７０の編集メニューの「プロパティ」からも行うことができる。
【００３７】
例えば図６の表示領域１３における下部のデジタルメーターセットを選択し、外周にハンドルを表示させる。この状態で、メニューバー７０の編集メニューから「プロパティ」を選択すると、図８のようなプロパティダイアログが表示される。
【００３８】
図８のプロパティダイアログにおいて、Ｘ座標およびＹ座標ボックスは選択されているデジタルメーターセットの左上の位置を表わすものであり、任意の数値を入力設定できる。
【００３９】
幅および高さボックスは選択されているデジタルメーターセットの大きさを表わすものであり、任意の数値を入力設定できる。
【００４０】
文字サイズボックスはデジタルメーターセット表示を構成する文字や図形の大きさを指定するためのものであり、自動を指定するとデジタルメーターセットの外形に見合った最適な大きさに自動調整され、任意の数値を設定入力するとデジタルメーターセットの外形とは関係なく設定入力された大きさで表示される。
【００４１】
チャネルボックスはデジタルメーターセットに割り当てるチャネルを指定するものである。チャネルボックスをクリックすると、図９のような割り当てチャネルを指定するためのチャネルダイアログが表示される。このチャネルダイアログはチャネル番号とタグ番号とタグコメントの画面がタブで選択できるようになっているが、デジタルメーターセットに反映されるのは番号の選択指定のみで、タブの選択が編集領域１２のチャネル画面１２２の表示に連動することはない。
【００４２】
また、メニューバー７０の表示メニューによるチャネル番号とタグ番号またはタグコメントのいずれかの選択指定はチャネルダイアログのタブ選択よりも優先度が高くなっていて、メニューバー７０の表示メニューによる選択によってチャネルダイアログのタブ選択も連動して切り換わるようになっている。
【００４３】
図８のプロパティダイアログに戻り、詳細領域は、割り当てられたチャネルの測定データの表示形態を個別に設定するためのものである。詳細領域のボタンをクリックすることにより、各項目は変更可能状態になる。
【００４４】
フォーマット型ボックスでは、小数点の表示形式を、E型かＦ型かを選択指定する。
小数点ボックスには、表示値の小数点以下の表示桁数を入力指定する。
最小値ボックスおよび最大値ボックスには、表示値の最小値および最大値を入力指定する。
単位ボックスには、物理量の単位を入力指定する。
色ボックスには、例えばトレンドグラフ表示において各測定チャネルに割り当てたい表示色をパレットから入力指定する。
【００４５】
これら図８のプロパティダイアログおよび図９のチャネルダイアログのそれぞれの設定は、ＯＫボタンをクリックすることにより有効になり、選択されている計器パターンに反映される。
【００４６】
上記実施例では、計器パターンがデジタルメータセットの例を示したが、この他、図１０のデジタルメータ、図１１のバーメータ、図１２のアナログメータ、図１３のサーモメータ、図１４のバーメータセット、図１５のアナログメータセット、図１６のサーモメータセット、図１７のトレンドグラフなどが選択指定できる。
【００４７】
【発明の効果】
以上説明したように、本発明によれば、ソフトウェアのプログラムについての知識のないユーザーであっても任意に表示画面を設計できる自由度の高い多点測定データ表示装置と多点測定データ表示方法および多点測定データ表示プログラムが実現できる。
【図面の簡単な説明】
【図１】本発明に基づく表示画面の具体例図である。
【図２】編集画面１２１の説明図である。
【図３】チャネル画面１２２の説明図である。
【図４】計器パターンの具体例図である。
【図５】測定チャネル割り当て過程の説明図である。
【図６】測定チャネル割り当て過程の説明図である。
【図７】本発明の機能ブロック図である。
【図８】プロパティダイアログの具体例図である。
【図９】チャネルダイアログの具体例図である。
【図１０】デジタルメータの具体例図である。
【図１１】バーメータの具体例図である。
【図１２】アナログメータの具体例図である。
【図１３】サーモメータの具体例図である。
【図１４】バーメータセットの具体例図である。
【図１５】アナログメータセットの具体例図である。
【図１６】サーモメータセットの具体例図である。
【図１７】トレンドグラフの具体例図である。
【符号の説明】
１０  表示画面
１１  分割バー
１２  編集領域
１２１  編集画面
１２１ａ  部品領域
１２１ｂ  色領域
１２１ｃ  ピクチャ領域
１２２  チャネル画面
１２２ａ  設定プレート領域
１２２ｂ  消去プレート領域
１２３  座標表示部
１３  表示領域
１１  メッシュデータ作成部
１２  基本データ作成部
１３  暗号作成部
２０  改ざん検出部
２１  復号部
２２  電子データ作成部
２３  メッシュデータ作成部
２４  基本データ作成部
Ａ  計器パターン選択部
Ｂ  測定チャネル割り当て部
Ｃ  測定データファイル
Ｄ  リンク処理部
Ｅ  表示処理部
Ｆ  表示部
【図１】
0004433648.tif 000002
【図２】
0004433648.tif 000003
【図３】
0004433648.tif 000004
【図４】
0004433648.tif 000005
【図５】
0004433648.tif 000006
【図６】
0004433648.tif 000007
【図７】
0004433648.tif 000008
【図８】
0004433648.tif 000009
【図９】
0004433648.tif 000010
【図１０】
0004433648.tif 000011
【図１１】
0004433648.tif 000012
【図１２】
0004433648.tif 000013
【図１３】
0004433648.tif 000014
【図１４】
0004433648.tif 000015
【図１５】
0004433648.tif 000016
【図１６】
0004433648.tif 000017
【図１７】
0004433648.tif 000018